(57)【要約】  デジタルマルチメディア放送（ＤＭＢ）サービスを受信するための移動端末の外付けアンテナの認識装置及び方法を提供する。本発明による方法は、衛星ＤＭＢ信号のうちギャップフィラー信号を受信するための内蔵アンテナと、衛星ＤＭＢ信号を直接的に受信する脱着可能な外付けアンテナと、を備えている移動端末において、上記外付けアンテナの脱着有無を検知して、上記内蔵アンテナと接続されている第１のパスと、上記外付けアンテナと接続されている第２のパスのうち、上記衛星ＤＭＢ信号を最適化された受信パスに選択的に切り替える。また、上記内蔵アンテナにおいて受信されるギャップフィラー信号及び衛星ＤＭＢ信号の強度と基準値とを比較して、該当メッセージを表示するプロセスを提供する。これにより、本発明によれば、外付けアンテナの脱着有無を容易に認知できることはもとより、外付けアンテナの脱着有無を検知して、別途のキー操作を要求することなく、内蔵アンテナまたは外付けアンテナにより放送信号の受信パスを最適化させることができる。また、衛星ＤＭＢの受信時に、受信信号の強度と所定の基準値とを比較して、ユーザーに外付けアンテナを取付けせよとの要求メッセージや放送受信不能エリアである旨を報知する案内メッセージなどをユーザーに提供することができる。
2008508780.tif 000002
【特許請求の範囲】
【請求項１】
衛星デジタルマルチメディア放送（ＤＭＢ）を受信する移動端末における、外付けアンテナを検出する装置において、
ギャップフィラー信号を受信するための少なくとも１本の内蔵アンテナと、
衛星信号を直接的に受信するための脱着可能な外付けアンテナと、
無線信号を送受信するためのＲＦ部と、
前記内蔵アンテナと接続されている第１のパスと、前記外付けアンテナと接続されている第２のパスのうちどちらか一方の受信パスを切り替えるアンテナコネクターと、
前記外付けアンテナが固着されると共に、前記アンテナコネクターとの結合有無により前記受信パスを選択するコネクター結合部と、
前記ＲＦ部を介して前記第１または第２のパスに受信される信号を処理すると共に、前記コネクター結合部と前記アンテナコネクターとの結合有無による電圧レベルの信号の変化を検知して、前記外付けアンテナの脱着有無を検知するベースバンド処理部と、を備えることを特徴とする装置。
【請求項２】
前記内蔵アンテナは、第１及び第２の内蔵アンテナにより構成され、
前記アンテナコネクターと前記コネクター結合部が分離されている場合には、前記第２の内蔵アンテナと接続される第１の端子と、前記ＲＦ部と接続される第１の端子が短絡することを特徴とする請求項１に記載の装置。
【請求項３】
前記アンテナコネクターと前記コネクター結合部が結合されている場合には、前記第２の内蔵アンテナと接続される第１の端子と、前記ＲＦ部と接続される第２の端子が開放されることを特徴とする請求項２に記載の装置。
【請求項４】
前記コネクター結合部と前記アンテナコネクターが分離されている場合、前記アンテナコネクターは、前記受信パスを前記ギャップフィラー信号を受信する前記第１のパスに切り替えるように構成されることを特徴とする請求項３に記載の装置。
【請求項５】
前記コネクター結合部と前記アンテナコネクターが結合されている場合、前記アンテナコネクターは、前記信号パスを前記衛星信号を受信する前記第２のパスに切り替えるように構成されることを特徴とする請求項３に記載の装置。
【請求項６】
一端が電源電圧に接続され、他端が前記ベースバンド処理部と前記アンテナコネクターとの間の接続ノードに接続されている少なくとも１つのプルアップ抵抗をさらに含み、前記アンテナコネクターと前記コネクター結合部が分離されている場合、前記電圧レベルの信号は、前記プルアップ抵抗を介して加えられるハイレベルの信号であることを特徴とする請求項２に記載の装置。
【請求項７】
前記アンテナコネクターと前記コネクター結合部が結合されている場合、前記移動端末の接地と接続される内部端子をさらに備え、前記電圧レベルの信号は、前記内部端子を介して加えられるロウレベルの信号であることを特徴とする請求項３に記載の装置。
【請求項８】
前記移動端末の動作状態を表示する表示部と、
前記内蔵アンテナを用いて放送受信を行うとき、前記ギャップフィラー信号の強度を所定の基準値と比較して、前記ギャップフィラー信号の強度が前記基準値以下であると判定された場合、前記表示部に外付けアンテナを取り付けることを要求するメッセージを出力する制御部と、をさらに備えることを特徴とする請求項１に記載の装置。
【請求項９】
前記移動端末の動作状態を表示する表示部と、
前記外付けアンテナを用いて放送受信を行うとき、前記衛星信号の強度を所定の基準値と比較して、前記衛星信号の強度が前記基準値以下であると判定された場合、前記表示部に衛星放送の受信不能エリアである旨を報知するメッセージを出力する制御部と、をさらに備えてなることを特徴とする請求項１に記載の装置。
【請求項１０】
一端が前記アンテナコネクターと内蔵アンテナとの間の接続ノードに接続され、他端が前記ベースバンド処理部の第３の入力端としてのＧＰＩＯに接続されているプルアップ／プルダウン抵抗部をさらに備えることを特徴とする請求項１に記載の装置。
【請求項１１】
前記アンテナコネクターと前記コネクター結合部が結合されている場合、前記プルアップ／プルダウン抵抗部を介してハイレベルの電圧レベルの信号が前記ベースバンド処理部の第３の入力端に加えられることを特徴とする請求項１０に記載の装置。
【請求項１２】
前記アンテナコネクターと前記コネクター結合部が分離されている場合、プルアップ／プルダウン抵抗部を介してロウレベルの電圧レベルを持つ信号が前記ベースバンド処理部の第３の入力端に加えられることを特徴とする請求項１０に記載の装置。
【請求項１３】
前記プルアップ／プルダウン抵抗部は、前記第２の内蔵アンテナと、前記ベースバンド処理部の第３の入力端としてのＧＰＩＯとの間にインダクターを備えてなることを特徴とする請求項１０に記載の装置。
【請求項１４】
前記アンテナコネクターと前記コネクター結合部が結合されている場合、前記電圧レベルの信号は、ハイレベルの信号であることを特徴とする請求項１３に記載の装置。
【請求項１５】
前記アンテナコネクターと前記コネクター結合部が分離されている場合、前記電圧レベルの信号は、ロウレベルの信号であることを特徴とする請求項１３に記載の装置。
【請求項１６】
デジタルマルチメディア放送（ＤＭＢ）衛星から送り出される衛星信号を中継するギャップフィラー中継機からギャップフィラー信号を受信する少なくとも１本の内蔵アンテナと、前記衛星信号を直接的に受信する脱着可能な外付けアンテナ及び基底帯域信号の処理のためのベースバンド処理部を備える移動端末の外付けアンテナの認識方法において、
前記ベースバンド処理部が前記外付けアンテナが固着されているコネクター結合部と、前記内蔵アンテナが接続されているアンテナコネクターとの結合有無を確認するステップと、
前記コネクター結合部と前記アンテナコネクターが結合されている場合、前記ベースバンド処理部に所定の電圧レベルの信号を加えるステップと、
前記ベースバンド処理部が、前記電圧レベルの信号に基づいて、前記外付けアンテナの取付けを検知するステップと、を含んでなることを特徴とする方法。
【請求項１７】
前記アンテナコネクターと前記コネクター結合部が結合されている場合、前記受信パスを前記内蔵アンテナと接続されている第１のパスに切り替えることを特徴とする請求項１６に記載の方法。
【請求項１８】
前記アンテナコネクターと前記コネクター結合部が分離されている場合、前記受信パスを前記外付けアンテナと接続されている第２のパスに切り替えることを特徴とする請求項１６に記載の方法。
【請求項１９】
デジタルマルチメディア放送（ＤＭＢ）衛星から送り出される衛星信号を中継するギャップフィラー中継機からギャップフィラー信号を受信する少なくとも１本の内蔵アンテナと、前記衛星信号を直接的に受信する脱着可能な外付けアンテナと、を備える移動端末の外付けアンテナの認識方法において、
前記内蔵アンテナを用いて放送受信を行うとき、前記ギャップフィラー信号の強度と予め定められた所定の基準値とを比較するステップと、
前記ギャップフィラー信号の強度が前記基準値以下である場合、前記外付けアンテナの取付けの有無を確認するステップと、
前記外付けアンテナが分離されている状態であると確認された場合、前記外付けアンテナの取付けを要求するメッセージを出力するステップと、を含んでなることを特徴とする方法。
【請求項２０】
前記外付けアンテナを用いて放送受信を行うとき、前記衛星信号の強度と予め定められた所定の基準値とを比較するステップと、
前記衛星信号の強度が前記基準値以下である場合、衛星放送の受信不能エリアである旨を報知するメッセージを出力するステップと、をさらに含むことを特徴とする請求項１９に記載の方法。
【発明の詳細な説明】
【技術分野】
【０００１】
本発明は、移動端末において外付けアンテナを用いるための装置及び方法に係り、さらに詳しくは、デジタルマルチメディア放送（Digital Multimedia Broadcasting：以下、ＤＭＢと称する。）サービスを受信するための移動端末の外付けアンテナの認識装置及び方法に関する。
【背景技術】
【０００２】
通常、デジタル放送とは、従来のアナログ放送に替えて、高画質とＣＤレベルの高音質、さらには、より高質のサービスをユーザーに提供するシステムのことを言う。このようなデジタル放送は、現在、地上波及び衛星放送の２種類として発展してきている。ここで、地上波とは、地上の中継機を介して放送を受信可能なサービスのことをいう。これに対し、衛星放送とは、人工衛星を中継機として用いて放送サービスを受信する方式をいう。上記のデジタル放送に代表されるものとして、ＤＭＢサービスがある。上記ＤＭＢサービスも同様に、地上波ＤＭＢ及び衛星ＤＭＢの２種類の方式に大別できる。上記地上波ＤＭＢとは、上述のように、地上の中継機を介してユーザーに放送サービスを提供する方式をいう。
【０００３】
これに対し、衛星ＤＭＢは、地上の中継機ではなく、人工衛星を用いて放送サービスを提供する。以下、図１に基づき、上記衛星ＤＭＢサービスについて詳細に説明する。
上記図１を参照すると、地上の衛星ＤＭＢ放送センター１００から衛星へと放送信号をＫｕ−バンドの帯域（１２ＧＨｚ〜１３ＧＨｚ）を通じて参照符号１０２にて示す時分割多重化方式（Time Division Multiplex：ＴＤＭ）と参照符号１０４にて示すコード分割多重化方式（Code Division Multiplex：ＣＤＭ）により転送する。すると、ＤＭＢ衛星１０６が上記放送信号を受信し、上記受信された信号１０２、１０４をさらに地上の受信端末１１６や地上中継機に相当するギャップフィラー中継機１０８に転送する。
【０００４】
上記ＤＭＢ衛星１０６は、受信された放送信号をＳ−バンドの帯域（２〜３ＧＨｚ）のＣＤＭ信号１１２及びＫｕ−バンドのＴＤＭ信号１１０に変換して地上にて送信する。上記ギャップフィラー中継機１０８により上記ＤＭＢ衛星１０６が放送信号を転送する理由は、上記衛星が送り出す放送信号を地下のようなカゲエリアまでサービスを提供するためである。上記ギャップフィラー中継機１０８は、上記放送信号を受信してＳ−バンドに変換して、カゲエリアにある端末にサービスを提供する。
【０００５】
上述のように、衛星ＤＭＢサービスを提供されたい移動端末には、ギャップフィラー信号を受信可能なアンテナと、衛星信号を直接的に受信可能なアンテナをはじめとして、少なくとも２本以上のアンテナが必要である。このため、上記２つの信号を受信するために、上記衛星ＤＭＢ受信端末１１６は、内蔵アンテナと衛星信号受信用の外付けアンテナを別々に備えるか、あるいは、２本のアンテナをどちらも内蔵型として取り付けなければならない。
【０００６】
しかしながら、２本のアンテナをどちらも内蔵する場合、端末が大型化し、しかも、アンテナの性能も劣化するといった不都合がある。さらには、衛星受信用の外付けアンテナを脱着する場合にも、これを認識して放送信号の受信パスを変更するなどのハードウェア及びソフトウェアの最適化を可能にする方法はなかった。  
【発明の開示】
【発明が解決しようとする課題】
【０００７】
本発明の目的は、衛星ＤＭＢサービスを提供する無線通信システムにおいて、放送サービスを効率よく受信するための移動端末の外付けアンテナの認識装置及び方法を提供することにある。
【０００８】
本発明の他の目的は、衛星ＤＭＢサービスを提供する無線通信システムにおいて、衛星信号受信用の外付けアンテナの脱着を容易に検知する外付けアンテナの認識装置及び方法を提供することにある。
【０００９】
本発明のさらに他の目的は、衛星ＤＭＢ受信障害エリアにおいて、衛星信号受信用の外付けアンテナの結合有無を検知して、ユーザーに安定したサービスを利用させるための案内メッセージを提供する外付けアンテナの認識装置及び方法を提供することにある。
【課題を解決するための手段】
【００１０】
そこで、上記の目的を達成するために、本発明の装置は、衛星デジタルマルチメディア放送（ＤＭＢ）を受信する移動端末における、外付けアンテナを検出する装置において、ギャップフィラー信号を受信するための少なくとも１本の内蔵アンテナと、衛星信号を直接的に受信するための脱着可能な外付けアンテナと、無線信号を送受信するためのＲＦ部と、上記内蔵アンテナと接続されている第１のパスと、上記外付けアンテナと接続されている第２のパスのうちどちらか一方の受信パスを切り替えるアンテナコネクターと、上記外付けアンテナが固着されると共に、上記アンテナコネクターとの結合有無により上記受信パスを選択するコネクター結合部と、上記ＲＦ部を介して上記第１または第２のパスに受信される信号を処理すると共に、上記コネクター結合部と上記アンテナコネクターとの結合有無による電圧レベルの信号の変化を検知して、上記外付けアンテナの脱着有無を検知するベースバンド処理部と、を備えることを特徴とする。
【００１１】
また、上記の目的を達成するために、本発明の方法は、デジタルマルチメディア放送（ＤＭＢ）衛星から送り出される衛星信号を中継するギャップフィラー中継機からギャップフィラー信号を受信する少なくとも１本の内蔵アンテナと、上記衛星信号を直接的に受信する脱着可能な外付けアンテナ及び基底帯域信号の処理のためのベースバンド処理部を備える移動端末の外付けアンテナの認識方法において、上記ベースバンド処理部が上記外付けアンテナが固着されているコネクター結合部と上記内蔵アンテナが接続されているアンテナコネクターとの結合有無を確認するステップと、上記コネクター結合部と上記アンテナコネクターが結合されている場合、上記ベースバンド処理部に所定の電圧レベルの信号を加えるステップと、上記ベースバンド処理部が、上記電圧レベルの信号に基づいて、上記外付けアンテナの取付けを検知するステップと、を含んでなることを特徴とする。
【００１２】
さらにまた、上記の目的を達成するために、本発明の他の方法は、デジタルマルチメディア放送（ＤＭＢ）衛星から送り出される衛星信号を中継するギャップフィラー中継機からギャップフィラー信号を受信する少なくとも１本の内蔵アンテナと、上記衛星信号を直接的に受信する脱着可能な外付けアンテナと、を備える移動端末の外付けアンテナの認識方法において、上記内蔵アンテナを用いて放送受信を行うとき、上記ギャップフィラー信号の強度と予め定められた所定の基準値とを比較するステップと、上記ギャップフィラー信号の強度が上記基準値以下である場合、上記外付けアンテナの取付けの有無を確認するステップと、上記外付けアンテナが分離されている状態であると確認された場合、上記外付けアンテナを取り付けることを要求するメッセージを出力するステップと、を含んでなることを特徴とする。
【発明の効果】
【００１３】
本発明は、衛星ＤＭＢ受信用の外付けアンテナが脱着可能に設けられる移動端末における、外付けアンテナの脱着有無を容易に認知できることはもとより、外付けアンテナの脱着有無を検知して、別途のキー操作を要求することなく、内蔵アンテナまたは外付けアンテナに放送信号の受信パスを最適化させることができる。
【００１４】
また、本発明によれば、外付けアンテナの取付けの有無を自動的に検知できることはもとより、衛星ＤＭＢの受信時に受信信号の強度を所定の基準値と比較して、ユーザーに外付けアンテナを取付けせよとの要求メッセージや放送受信不能エリアである旨を報知する案内メッセージなどをユーザーに提供することができる。
【００１５】
さらに、本発明によれば、アンテナコネクターの種類とは無関係に、簡単な素子だけを用いて衛星アンテナの脱着有無を検知することにより、余計な端末の製作コスト及び端末の大型化を抑えることができる。
【発明を実施するための最良の形態】
【００１６】
以下、添付した図面に基づき、本発明に係る好適な実施の形態を詳細に説明する。本発明を説明するに当たって、関連する公知の機能あるいは構成についての詳細な説明が本発明の要旨を余計に曖昧にすると認められる場合、その詳細な説明を省く。そして、後述する用語は本発明における機能を考慮して定義されたものであって、これは、ユーザー、運用者の意図または慣例などによって変わりうる。よって、その定義はこの明細書の全般に亘っての内容を基に行われるべきである。
【００１７】
図２は、本発明の第１の実施の形態による外付けアンテナ認識装置の内部構成を示すブロック構成図である。
図２に示すように、第１の内蔵アンテナ２００と第２の内蔵アンテナ２０２は、移動端末に内蔵されている内部アンテナであり、この実施の形態において、移動端末は、放送信号の受信時にダイバーシティが得られるように少なくとも２本のアンテナを用いる例を想定している。
【００１８】
上記第１の内蔵アンテナ２００は、通常の移動通信システムの無線信号を送受信したり、ギャップフィラー中継機１０８から衛星ＤＭＢサービスによるギャップフィラー信号を受信したりするデュアルバンドアンテナであり、ＲＦ部２０６に固着される必要がある。
【００１９】
そして、上記第２の内蔵アンテナ２０２は、上記ギャップフィラー中継機１０８からのギャップフィラー信号を受信するための内蔵アンテナであり、ギャップフィラー信号の受信時に、上記第１の内蔵アンテナ２００と第２の内蔵アンテナ２０２は、マルチパスのフェージングの環境下で移動端末の受信性能を高めるダイバーシティを提供する。一方、上記のギャップフィラー中継機１０８から送り出されるギャップフィラー信号の強度が一定の基準値以下である場合、上記移動端末は、ＤＭＢ衛星から直接的に送信される放送用の衛星信号を受信可能に脱着可能な外付けアンテナ２１２を備えなければならない。
【００２０】
このために、本発明において、上記外付けアンテナ２１２は、コネクター結合部２１４を介してアンテナコネクター２０４と物理的及び電気的に接続されると共に、上記コネクター結合部２１４は、アンテナコネクター２０４との結合有無により第２の内蔵アンテナ２０２を介して受信される放送信号または外付けアンテナ２１２を介して受信される放送信号を選択的に切り替えてＲＦ部２０６に加える。以下、この明細書中においては、ＤＭＢ衛星１０６を介して送り出される放送信号を衛星信号と言い、ギャップフィラー中継機１０８を介して送り出される信号をギャップフィラー信号と言う。
【００２１】
上記アンテナコネクター２０４とコネクター結合部２１４は、第２の内蔵アンテナ２０２とＲＦ部２０６が接続される受信パスと、外付けアンテナ２１２とＲＦ部２０６が接続される受信パスを切り替えるブロックであり、上記アンテナコネクター２０４とコネクター結合部２１４が分離されている状態では、第１及び第２の内蔵アンテナ２００、２０２をＲＦ部２０６に接続し、これらが結合されている状態では、第１の内蔵アンテナ２００と外付けアンテナ２１２をＲＦ部２０６に接続するように構成される。
【００２２】
ここで、上記第１の内蔵アンテナ２００と第２の内蔵アンテナ２０２をＲＦ部２０６に接続してギャップフィラー信号を受信するパスを第１のパスといい、外付けアンテナ２１２をＲＦ部２０６に接続して衛星信号を直接的に受信するパスを第２のパスと言う。上記の切り替え動作のための上記アンテナコネクター２０４及びコネクター結合部２１４の内部結線構造についての詳細については、後述する。
【００２３】
上記アンテナコネクター２０４を介して受信された放送信号は、上記ＲＦ部２０６に入力される。上記ＲＦ部２０６は、無線網を通じて送信される信号を周波数上向き変換及び増幅するＲＦ送信機と、受信される信号を低雑音増幅して周波数を下向き変換するＲＦ受信機などを備える。そして、上記第１のパスを介してギャップフィラー信号が受信される場合、上記ＲＦ部２０６は、上記第１の内蔵アンテナ２００からの受信信号は、第１の導線Ｌ１を介してベースバンド処理部２０８の第１の入力端ＲＦ１に出力し、上記第２の内蔵アンテナ２００からの受信信号は、第２の導線Ｌ２を介してベースバンド処理部２０８の第２の入力端ＲＦ２に出力する。
【００２４】
上記ベースバンド処理部２０８は、上記ＲＦ部２０６において基底帯域に下向き変換された信号を処理すると共に、外付けアンテナ２１２の取付けの有無により、すなわち、コネクター結合部２１４とアンテナコネクター２０４との結合有無により第３の入力端ＧＰＩＯに加えられる電圧レベルの信号の変化を検知して、上記外付けアンテナ２１２の脱着有無を検知する。
【００２５】
この実施の形態においては、上記アンテナコネクター２０４とベースバンド処理部２０８との間にプルアップ抵抗２１０を接続して、上記コネクター結合部２１４とアンテナコネクター２０４が分離されている状態では、プルアップ抵抗２１０を介してハイレベルの信号が上記第３の入力端ＧＰＩＯに加えられ、これらが結合されている状態では、プルアップ抵抗２１０を内部接地に接続して、ロウレベルの信号が上記第３の入力端ＧＰＩＯに加えられる。
【００２６】
このため、上記ベースバンド処理部２０８は、第３の入力端ＧＰＩＯに加えられる信号の信号レベルの変化を検知して、外付けアンテナ２１２の脱着有無を確認することができる。
【００２７】
そして、外付けアンテナ２１２が接続されている場合、第１の内蔵アンテナ２００及び／または第２の内蔵アンテナ２０２を図示しない制御部においてオフにすることにより、余計な電力消耗を防ぐことができる。
【００２８】
一方、この実施の形態においては、上記ベースバンド処理部２０８がプルアップ抵抗２１０の電圧レベル変化を検知して、外付けアンテナ２１２の脱着有無を確認するようになっているが、外付けアンテナ２１２の脱着有無によりアンテナコネクター２０４から直接的に電圧レベルの信号を出力させ、その信号を上記ベースバンド処理部２０８において検知するように構成してもよい。
【００２９】
図３Ａと図３Ｂは、それぞれ上記図２に示すアンテナコネクターとコネクター結合部との結合前／結合後の電気的な結線構造を示すものである。以下、上記図３Ａと図３Ｂに基づき、本発明の具体的な実施の形態を説明する。
図３Ａは、上記コネクター結合部２１４と上記アンテナコネクター２０４との結合前の状態を示している。上記コネクター結合部２１４において、参照符号２１４ａと２１４ｃは、本発明による外付けアンテナの認識装置の内部接地（図示せず）と接続される接地端子であり、参照符号２１４ｂは、外付けアンテナ２１２と接続されている信号入力端子を示している。
【００３０】
上記アンテナコネクター２０４において、参照符号２０４ａと参照符号２０４ｄは、コネクター結合部２１４と分離されている状態では、他の端子との接続が遮断されるようにオープンの状態を維持し、これらが結合されている状態では、プルアップ抵抗２１０の一端を内部接地と接続させるように形成されているＮＣ（ノーコネクト）端子である。また、参照符号２０４ｂは、コネクター結合部２１４と分離されている状態で、第２の内蔵アンテナ２０２とＲＦ部２０６を接続する第１の接続端子であり、２０４ｃは、コネクター結合部２１４と結合されている状態で、信号入力端子２１４ｂと接続されて、外付けアンテナ２１２とＲＦ部２０６を接続する第２の接続端子である。
【００３１】
このため、図３Ａに示すように、上記コネクター結合部２１４とアンテナコネクター２０４が結合される前には、上記第１の接続端子２０４ｂを介して第２の内蔵アンテナ２０２とＲＦ部２０６が接続され、ベースバンド処理部２０８は、プルアップ抵抗２１０を介して加えられるハイレベルの信号を検知して外付けアンテナ２１２が分離されている状態であることを認知することになる。
【００３２】
図３Ｂは、上記図２に示すアンテナコネクターとコネクター結合部との結合後の状態を示している。上記コネクター結合部２１４の信号入力端子２１４ｂは、上記アンテナコネクター２０４の第２の接続端子２０４ｃと結合されることにより、上記コネクター結合部２０４の第１の接続端子２０４ｂとの接続が遮断される。また、上記コネクター結合部２１４の内部接地２１４ａ、２１４ｂは、それぞれ上記アンテナコネクター２０４のＮＣ端子２０４ａ、２０４ｂと結合される。
【００３３】
このため、図３Ｂに示すように、上記コネクター結合部２１４とアンテナコネクター２０４が結合されてからは、上記第２の接続端子２０４ｃを介して上記外付けアンテナ２１２とＲＦ部２０６が接続され、ベースバンド処理部２０８は、プルアップ抵抗２１０を介して加えられるロウレベルの信号を検知して、外付けアンテナ２１２が結合されている状態であることを認知することになる。
【００３４】
図４は、本発明の第１の実施の形態による外付けアンテナの認識方法を説明するためのフローチャートであり、これは、上記ベースバンド処理部２０８においてコネクター結合部２１４の脱着有無を認知するステップを示している。
【００３５】
ステップＳ４００において、衛星放送を受信しようとするユーザーは、移動端末をキー操作してＤＭＢ受信モードを設定する。上記ステップＳ４００において、ＤＭＢ受信モードに設定されている場合、ステップＳ４０２において、ベースバンド処理部２０８は、ＤＭＢ信号の受信パスを第１の内蔵アンテナ２００と第２の内蔵アンテナ２０２を用いる第１のパスに最適化させる。そして、ステップＳ４０４において、ベースバンド処理部２０８は、ステップＳ４０２において設定された第１のパス、すなわち、第１及び第２の内蔵アンテナ２００、２０２とＲＦ部２０６を介して受信されるギャップフィラー信号を受信する。
【００３６】
ステップＳ４０６において、上記ベースバンド処理部２０８は、第３の入力端ＧＰＩＯに加えられる電圧レベルの信号の変化を検知して、外付けアンテナ２１２の取付けの有無を判別する。
【００３７】
すなわち、外付けアンテナ２１２が取り付けられていない状態では、一端が電源電圧Ｖｄｄと接続されているプルアップ抵抗２１０を介してハイレベルの電圧信号が第３の入力端ＧＰＩＯに加えられ、外付けアンテナ２１２が取り付けられている状態では、プルアップ抵抗２１０の他端と接続されているアンテナコネクター２０４のＮＣ端子が接地されて、ロウレベルの電圧信号が第３の入力端ＧＰＩＯに加えられる。
【００３８】
このため、上記ステップＳ４０６において、外付けアンテナ２１２が取り付けられると、ステップＳ４０８へ移行し、ベースバンド処理部２０８の第３の入力端ＧＰＩＯにはロウレベルの信号が加えられると共に、上記ステップＳ４０６において、外付けアンテナ２１２が取り付けられていないときには、上記ステップＳ４０４へ移行して、該当ステップを行う。
【００３９】
ステップＳ４１０において、ベースバンド処理部２０８は、上記外付けアンテナ２１２が取り付けられることを認知することにより、放送信号に対する受信パスを外付けアンテナ２１２を用いる第２のパスに最適化させる。そして、ステップＳ４１２において、ベースバンド処理部２０８は、第２のパス、すなわち、外付けアンテナ２１２とＲＦ部２０６を介して衛星信号を受信する。
【００４０】
上記の一実施の形態によれば、ベースバンド処理部２０８は、外付けアンテナの接続有無をプルアップ抵抗を介して加えられる電圧レベルの信号の変化から容易に検知して、ギャップフィラー信号または衛星信号に対する該当受信パスを最適化させることが可能になる。
【００４１】
以下では、外付けアンテナの取付けの有無を検知すると共に、放送信号の強度が基準値以下である場合、外付けアンテナへの取付けの要求メッセージなどをユーザーに表示する本発明の他の実施の形態を説明する。
【００４２】
図５は、本発明の第２の実施の形態による外付けアンテナの認識装置の内部構成を示すブロック構成図である。図５中、参照番号５００ないし５１４は、対応する図２の構成要素と同じ動作を行うものであるため、その詳細な説明は省略する。
図５における制御部５１６は、移動端末の全般的な機能を制御する。上記制御部５１６は、図示しないキー入力部の操作によりＤＭＢ受信モードが選択された場合、移動端末をＤＭＢ受信モードに切り替える。そして、上記制御部５１６は、第１のパスを介してギャップフィラー信号を受信する場合、ギャップフィラー信号の強度を予め定められた所定の基準値と比較して、ギャップフィラー信号の強度が基準値よりも低い場合、外付けアンテナ５１２を接続せよとの所定の外付けアンテナの接続要求の案内メッセージをユーザーに提供する。
【００４３】
また、上記制御部５１６は、第２のパスを介して衛星信号を受信する場合、衛星信号の強度を予め定められた所定の基準値と比較して、衛星信号の強度がその基準値よりも低い場合、現在ユーザーが位置しているエリアが衛星ＤＭＢを受信不可なエリアである旨を報知する所定の受信不能案内メッセージをユーザーに提供する。
【００４４】
そして、図５におけるメモリー５１８には、上記外付けアンテナの接続要求メッセージと受信不能案内メッセージ及び上記の基準値が記憶され、制御部５１６は、上記接続案内メッセージの提供時に外付けアンテナ５１２の取付けの有無を検知したベースバンド処理部５０８において外付けアンテナ５１２の脱着有無を確認し、外付けアンテナ５１２が分離されている状態であると確認された場合、メモリー５１８から該当メッセージを読み込んで表示部５２０に表示するか、あるいは、図示しないスピーカーなどを介して出力する。
【００４５】
上記メモリー５１８は、読み込み専用のメモリー（ＲＯＭ）とランダムアクセスメモリ（ＲＡＭ）により構成される。そして、上記メモリー５１８には、本発明による外付けアンテナの認識と案内動作の制御を行うためのプログラム、及び本発明の実施の形態によりベースバンド処理部５０８が検査した内蔵／外付けアンテナの使用有無により各設定に最適化された動作を行うためのプログラムなどが記憶される。
【００４６】
上記表示部５２０は、上記制御部５１６から出力される種々の信号を視覚的に表示し、上記表示部５２０としては、液晶ディスプレイ（以下、ＬＣＤと称する。）を用いることができる。この場合、上記表示部５２０は、ＬＣＤ制御部 、映像データを記憶可能なメモリー及びＬＣＤ表示素子などを備えることができる。ここで、上記ＬＣＤをタッチスクリーンにより実現する場合、入力部として動作することもできる。
【００４７】
図６は、本発明の第２の実施の形態による外付けアンテナの認識方法を説明するためのフローチャートであり、この実施の形態において、移動端末は、先ず、内蔵アンテナを用いて放送信号を受信することを想定している。
【００４８】
ステップＳ６００において、移動端末は、ギャップフィラー中継機１０８を介して送られてくるギャップフィラー信号を第１及び第２の内蔵アンテナ５００、５０２において受信する。ステップＳ６０２において、制御部５１６は、例えば、一定の周期ごとにギャップフィラー信号の強度と所定の基準値とを比較して、ギャップフィラー信号の強度が基準値以下であると検査された場合、ステップＳ６０４へ移行し、ベースバンド処理部５０８において、外付けアンテナ５１２の取付けの有無、すなわち、コネクター結合部５１４の接続有無を確認する。
【００４９】
上記ステップＳ６０４において、上記ベースバンド処理部５０８が上記コネクター結合部５１４の取付けを認知している場合、ステップＳ６０８へ移行し、上記ベースバンド処理部５０８は、放送信号の受信パスを上記外付けアンテナと接続されている上記第２のパスに最適化させる。
【００５０】
これに対し、上記ステップＳ６０４において、上記外付けアンテナ５１２が分離されている状態であると確認された場合、上記制御部５１６は、ステップＳ６０６へ移行し、外付けアンテナ５１２を取付けせよとの要求メッセージをメモリー５１８から読み込んで表示部５２０に出力し、上記ステップＳ６０４を繰り返し行う。
【００５１】
上記ステップＳ６０４において、上記コネクター結合部５１４が取り付けられているかどうかを検査するステップにおいては、上記図３Ａと上記図３Ｂに基づいて述べられた方法が用いられる。
【００５２】
上記ステップＳ６０８において、ベースバンド処理部５０８が放送信号の受信パスを第２のパスに最適化させた後に、ステップＳ６１０において、制御部５１６は、外付けアンテナ５１２から受信された衛星信号の強度と所定の基準値とを比較する。
【００５３】
上記ステップＳ６１０において、上記制御部５１６は、衛星信号の強度が基準値以下である場合には、ステップＳ６１２へ移行し、表示部５２０において、衛星ＤＭＢ受信不能案内メッセージを出力する。
【００５４】
これに対し、上記ステップＳ６１０において、制御部５１６が検査した衛星信号の強度が基準値よりも大である場合、上記ベースバンド処理部５０８は、上記ステップＳ６０８において設定された第２のパスを介してそのまま衛星信号を受信する。
【００５５】
一方、上述の第１及び第２の実施の形態は、アンテナコネクターにＮＣ端子が設けられている場合に限って、本発明の実施の形態により外付けアンテナの脱着有無を検知することができる。このため、以下、ＮＣコネクター無しアンテナコネクターに対しても本発明の目的を達成可能な実施の形態を添付図面に基づいて説明する。
【００５６】
図７は、本発明の第３の実施の形態による衛星アンテナの認識装置の内部構成を示すブロック構成図である。上記図７中、上記図２と同じブロック構成に対しては同じ参照符号を付している。
上記図７にも示すように、アンテナコネクター７０４とコネクター結合部２１４と第２の内蔵アンテナ２０２が分離されている状態では、第１及び第２の内蔵アンテナ２００、２０２をＲＦ部２０６に接続し、これらが結合されている状態では、第１の内蔵アンテナ２００と外付けアンテナ２１２をＲＦ部２０６に接続するように構成される。
【００５７】
ここで、上記第１の内蔵アンテナ２００と第２の内蔵アンテナ２０２をＲＦ部２０６に接続してギャップフィラー信号を受信するパスを第１のパスといい、外付けアンテナ２１２をＲＦ部２０６に接続して衛星信号を直接的に受信するパスを第２のパスと言う。上記の切り替え動作のための上記アンテナコネクター２０４及びコネクター結合部２１４の内部結線構造は、後述する図８に基づいて説明する。
【００５８】
上記アンテナコネクター７０４を介して受信された放送信号は、上記ＲＦ部２０６に入力される。上記ＲＦ部２０６は、無線網を通じて送信される信号を周波数上向き変換及び増幅するＲＦ送信機と、受信される信号を低雑音増幅して周波数を下向き変換するＲＦ受信機などを備える。そして、上記第１のパスを介してギャップフィラー信号が受信される場合、上記ＲＦ部２０６は、上記第１の内蔵アンテナ２００からの受信信号は、第１の導線Ｌ１を介してベースバンド処理部７０６の第１の入力端ＲＦ１に出力し、上記第２の内蔵アンテナ２００からの受信信号は、第２の導線Ｌ２を介してベースバンド処理部７０６の第２の入力端ＲＦ２に出力する。
【００５９】
上記ベースバンド処理部７０６は、上記ＲＦ部２０６において基底帯域に下向き変換された信号を処理すると共に、外付けアンテナ２１２の取付けの有無により、すなわち、コネクター結合部２１４とアンテナコネクター７０４との結合の有無により第３の入力端ＧＰＩＯに加えられる電圧レベルの信号の変化を検知して、上記外付けアンテナ２１２の脱着有無を検知する。
【００６０】
この実施の形態においては、上記アンテナコネクター７０４とベースバンド処理部７０６との間にプルダウン／プルアップ抵抗部７０２を接続され、上記コネクター結合部２１４とアンテナコネクター７０４が分離されている状態では、プルダウン／プルアップ抵抗部７０２を介してロウレベルの信号が上記第３の入力端ＧＰＩＯに加えられ、これらが結合されている状態では、プルダウン／プルアップ抵抗部７０２を介してハイレベルの信号が上記第３の入力端ＧＰＩＯに加えられる。
【００６１】
このため、上記ベースバンド処理部７０６は、第３の入力端ＧＰＩＯに加えられる信号の信号レベルの変化を検知して、外付けアンテナ２１２の脱着有無を確認することができる。
そして、外付けアンテナ２１２が接続されている場合、第２の内蔵アンテナ２０２を図示しない制御部においてオフにすることにより、余計な電力の消耗を防ぐことができる。
【００６２】
図８Ａと図８Ｂはそれぞれ、上記図７に示すアンテナコネクターとコネクター結合部との結合前／結合後の電気的な結線構造を示すものである。以下、上記図８Ａと図８Ｂに基づき、本発明の第３の実施の形態を説明する。
図８Ａは、上記コネクター結合部２１４と上記アンテナコネクター７０４との結合前の状態を示している。上記コネクター結合部２１４において、参照符号２１４ａと２１４ｃは、本発明による外付けアンテナの認識装置の内部接地（図示せず）と接続される接地端子であり、参照符号２１４ｂは、外付けアンテナ２１２と接続されている信号入力端子を示している。
【００６３】
上記アンテナコネクター７０４において、参照符号７０４ａは、コネクター結合部２１４と分離されている状態で、第２の内蔵アンテナ２０２とＲＦ部２０６を接続する第１の接続端子であり、７０４ｂは、コネクター結合部２１４と結合されている状態で、信号入力端子２１４ｂと接続されて外付けアンテナ２１２とＲＦ部２０６を接続する第２の接続端子を示す。
【００６４】
このため、図８Ａに示すように、上記コネクター結合部２１４とアンテナコネクター７０４が結合される前には、上記第１の接続端子７０４ａを介して第２の内蔵アンテナ２０２とＲＦ部２０６が接続され、ベースバンド処理部７０６は、上記プルアップ／プルダウン抵抗部７０２を介して加えられるロウレベルの信号を検知して、外付けアンテナ２１２が分離されている状態であることを認知する。
【００６５】
図８Ｂは、上記図７に示すアンテナコネクター７０４とコネクター結合部２１４との結合後の状態を示している。上記コネクター結合部２１４の信号入力端子２１４ｂは、上記アンテナコネクター７０４の第２の接続端子７０４ｂと結合されることにより、上記コネクター結合部７０４の第１の接続端子７０４ａとの接続が遮断される。
【００６６】
このため、図８Ｂに示すように、上記コネクター結合部２１４とアンテナコネクター７０４が結合されてからは、上記第２の接続端子７０４ｂを介して上記外付けアンテナ２１２とＲＦ部２０６が接続され、ベースバンド処理部７０６は、上記プルアップ／プルダウン抵抗部７０２を介して加えられるハイレベルの信号を検知して、外付けアンテナ２１２が結合されている状態であることを認知する。
【００６７】
図９Ａは、本発明の第３の実施の形態により、上記図８Ａに示すアンテナコネクターとコネクター結合部との結合前に第３の入力端に加えられる電圧レベルを説明するためのプルアップ／プルダウン抵抗部７０２の一構成例である。
【００６８】
後述する図９Ａ及び図９Ｂにおいては、ＲＦ部２０６とアンテナコネクター７０４とのパスのインピーダンスが５０Ωであることを想定している。また、本発明の第３の実施の形態により追加された第１の抵抗７０２ａとしては、上記ＲＦ部２０６とアンテナコネクター７０４との間のインピーダンスよりも十分に大きな抵抗を用い、第２の抵抗７０２ｂとしては、上記第１の抵抗７０２ａよりも十分に大きな抵抗を用いることを想定している。例えば、本発明の実施の形態においては、上記第１の抵抗７０２ａは１ｋΩ、上記第２の抵抗７０２ｂは１ＭΩであることを想定している。
【００６９】
上記図９Ａに示すように、アンテナコネクター７０４とコネクター結合部２１４が結合される前には、参照符号Ｃ１にて示す電流が流れ込んで、第３の入力端ＧＰＩＯにはロウレベルの電圧信号が加えられ、ベースバンド処理部７０６は、外付けアンテナ２１２が取り付けられていないことを認知する。そして、ベースバンド処理部７０６は、放送信号の受信パスを第１のパスに最適化させる。
【００７０】
図９Ｂは、本発明の第３の実施の形態により、上記図８Ｂに示すアンテナコネクターとコネクター結合部との結合後に第３の入力端に加えられる電圧レベルを説明するためのプルアップ／プルダウン抵抗部７０２の一構成例である。
【００７１】
上記図９Ｂに示すように、アンテナコネクター７０４とコネクター結合部２１４が結合されてからは、参照符号Ｃ２にて示す電流が流れ込んで、第３の入力端ＧＰＩＯにはハイレベルの電圧信号が加えられ、ベースバンド処理部７０６は外付けアンテナ２１２が取り付けられていることを認知する。そして、ベースバンド処理部７０６は、上記図４におけるステップＳ４１０以降のステップと、上記図６におけるステップＳ６０８以降のステップを行う。
【００７２】
しかしながら、上記のように第２の内蔵アンテナ２０２と上記第１の抵抗７０２ａ及び第２抵抗７０２ｂを直接的に接続させると、第２の内蔵アンテナ２０２が受信した放送信号のロスが来たされるという不都合が存在する。例えば、電源電圧Ｖｄｄから直流成分ＤＣが上記ＲＦ部２０６とアンテナコネクター７０４との間のパスに流れ込む場合があり、上記第２の内蔵アンテナ２０２から受信された交流成分ＡＣとしての放送信号が上記第１の抵抗７０２ａ及び第２の抵抗７０２ｂに流れ込んで、放送信号のロスを来たす場合がある。
【００７３】
このため、上記の如き不都合を防ぐために、本発明においては、下記の図１０及び図１１に基づき、上記第２の内蔵アンテナ２０２と上記第１の抵抗７０２ａ及び第２の抵抗７０２ｂ間にインダクターを設ける他の構成例を提案する。
【００７４】
図１０Ａは、本発明の第３の実施の形態により、上記図８Ａに示すアンテナコネクター７０４とコネクター結合部２１４との結合前に第３の入力端に加えられる電圧レベルを説明するためのプルアップ／プルダウン抵抗部７０２の他の構成例である。
【００７５】
また、図１０Ｂは、本発明の第３の実施の形態により、上記図８Ｂに示すアンテナコネクター７０４とコネクター結合部２１４との結合後に第３の入力端に加えられる電圧レベルを説明するためのプルアップ／プルダウン抵抗部７０２の他の構成例である。
【００７６】
上記図１０に示すように、本発明の第３の実施の形態による他の構成例は、第１の抵抗７０２ａと第２の抵抗７０２ｂが第２の内蔵アンテナ２０２と接続される個所にインダクター１０００Ｌ１を備えることにより、上述の実施の形態による問題点を解決することができる。というのは、通常、インダクターは、直流成分は通過させる一方で、交流成分は遮断させるような特性を有するからである。本発明の第３の実施の形態による他の構成例においては、上記インダクター１０００Ｌ１のインダクタンスが１００［ｎＨ］であることを想定している。
【００７７】
上記図１０に示す本発明を構成することにより、第２の内蔵アンテナ２０２に受信された放送信号がプルダウン／プルアップ抵抗部７０２に流れ込むことに起因するロスを防ぐことが可能になる。
【図面の簡単な説明】
【００７８】
【図１】本発明が適用される衛星デジタルマルチメディア放送システムの網構成図である。
【図２】本発明の第１の実施の形態による衛星アンテナの認識装置の内部構成を示すブロック構成図である。
【図３Ａ】上記図２に示すアンテナコネクターとコネクター結合部との結合前の電気的な結線構造を示す図である。
【図３Ｂ】上記図２に示すアンテナコネクターとコネクター結合部との結合後の電気的な結線構造を示す図である。
【図４】本発明の第１の実施の形態による外付けアンテナの認識方法を説明するためのフローチャートである。
【図５】本発明の第２の実施の形態による外付けアンテナの認識装置の内部構成を示すブロック構成図である。
【図６】本発明の第２の実施の形態による外付けアンテナの認識方法を説明するためのフローチャートである。
【図７】本発明の第３の実施の形態による衛星アンテナの認識装置の内部構成を示すブロック構成図である。
【図８Ａ】上記コネクター結合部と上記アンテナコネクターとの結合前の状態を示す図である。
【図８Ｂ】上記図７に示すアンテナコネクターとコネクター結合部との結合後の状態を示す図である。
【図９Ａ】本発明の第３の実施の形態により、上記図８Ａに示すアンテナコネクターとコネクター結合部との結合前に第３の入力端に加えられる電圧レベルを説明するためのプルアップ／プルダウン抵抗部の一構成例である。
【図９Ｂ】本発明の第３の実施の形態により、上記図８Ｂに示すアンテナコネクターとコネクター結合部との結合後に第３の入力端に加えられる電圧レベルを説明するためのプルアップ／プルダウン抵抗部の一構成例である。
【図１０Ａ】本発明の第３の実施の形態により、上記図８Ａに示すアンテナコネクターとコネクター結合部との結合前に第３の入力端に加えられる電圧レベルを説明するためのプルアップ／プルダウン抵抗部の他の構成例である。
【図１０Ｂ】本発明の第３の実施の形態により、上記図８Ｂに示すアンテナコネクターとコネクター結合部との結合後に第３の入力端に加えられる電圧レベルを説明するためのプルアップ／プルダウン抵抗部の他の構成例である。
【符号の説明】
【００７９】
１０６：ＤＭＢ衛星
１０８：ギャップフィラー中継機
２００：第１の内蔵アンテナ
２０２：第２の内蔵アンテナ
２０４：アンテナコネクター
２０６：ＲＦ部
２０８：ベースバンド処理部
２１０：プルアップ抵抗
２１２：外付けアンテナ
２１４：コネクター結合部
ＧＰＩＯ：第３の入力端
【図１】
2008508780.tif 000003
【図２】
2008508780.tif 000004
【図３Ａ】
2008508780.tif 000005
【図３Ｂ】
2008508780.tif 000006
【図４】
2008508780.tif 000007
【図５】
2008508780.tif 000008
【図６】
2008508780.tif 000009
【図７】
2008508780.tif 000010
【図８Ａ】
2008508780.tif 000011
【図８Ｂ】
2008508780.tif 000012
【図９Ａ】
2008508780.tif 000013
【図９Ｂ】
2008508780.tif 000014
【図１０Ａ】
2008508780.tif 000015
【図１０Ｂ】
2008508780.tif 000016
【国際調査報告】
2008508780.tif 000017
2008508780.tif 000018
2008508780.tif 000019